(57)【要約】      （修正有）【課題】クランプ電流計を電力線に効率よく取り付けることができる取付装置を提供する。【解決手段】固定アーム１０２の先端に着脱自在に装着され、クランプ電流計２００のクランプを開く際に押下されるスイッチ２０２が回動アーム１０５側を向くように、クランプ電流計が固定される収容部材４００と、回動アームの先端に着脱自在に装着される保持部材５００と、保持部材において、回動アームの先端から遠ざかる方向に弾性付勢される移動部材６００と、伝達棒１０３の先端と移動部材とを連結する連結部材７００と、を備え、伝達棒が操作棒１０１の長手方向に沿って固定アームから離れる方向に移動すると、回動アームは固定アームに近づき、クランプが開くように移動部材は弾性力に抗してスイッチにおける回動アーム側の面２０２Ａを摺動しながら押下する。【選択図】図７
2018136130.tif 000002
【特許請求の範囲】
【請求項１】
操作棒と、前記操作棒の先端に設けられる固定アームと、伝達棒と、前記伝達棒の先端に設けられ、前記固定アームとの間に物体を挟持することができるように、前記固定アームに軸支される回動アームと、前記回動アームが前記固定アームに近づくように、前記伝達棒を前記操作棒の長手方向に沿って前記固定アームから離れる方向に移動させるハンドルと、を有する絶縁ヤットコを用いて、クランプ電流計を電力線に取り付けるための取付装置であって、
前記固定アームの先端に着脱自在に装着され、前記クランプ電流計のクランプを開く際に押下されるスイッチが前記回動アーム側を向くように、前記クランプ電流計が固定される収容部材と、
前記回動アームの先端に着脱自在に装着される保持部材と、
前記保持部材において、前記回動アームの先端から遠ざかる方向に弾性付勢される移動部材と、
前記伝達棒の先端と前記移動部材とを連結する連結部材と、を備え、
前記伝達棒が前記操作棒の長手方向に沿って前記固定アームから離れる方向に移動すると、前記回動アームが前記固定アームに近づくとともに、前記クランプが開くように前記移動部材が弾性力に抗して前記スイッチにおける前記回動アーム側の面を摺動しながら押下する
ことを特徴とするクランプ電流計の取付装置。
【請求項２】
前記スイッチにおける前記回動アーム側の操作面は、前記固定アームの先端に近づくにつれて前記回動アーム側に近づくように傾斜した面形状を呈する
ことを特徴とする請求項１に記載のクランプ電流計の取付装置。
【請求項３】
前記移動部材の一部は、前記保持部材の内部において、前記回動アームの先端から遠ざかる方向に弾性付勢され、
前記移動部材の他の一部は、前記スイッチにおける前記回動アーム側の面を摺動しながら押下するために、前記保持部材の外部に突出する
ことを特徴とする請求項１又は請求項２に記載のクランプ電流計の取付装置。
【請求項４】
前記移動部材は、長尺の円柱形状を呈する
ことを特徴とする請求項３に記載のクランプ電流計の取付装置。
【発明の詳細な説明】
【技術分野】
【０００１】
本発明は、クランプ電流計の取付装置に関する。
【背景技術】
【０００２】
高圧線等の電力線を流れる電流を活線状態で計測し、当該電流の計測値を記憶する機器として、電力線を取り囲む際に開閉する１対のアーム型のクランプセンサを有するクランプ電流計が知られている。そして、クランプ電流計を電力線に取り付ける間接活線作業が知られている。例えば、２本の絶縁操作棒を用意し、一方の絶縁操作棒の先端に取り付けられた収容箱にクランプ電流計を収容し、一方の絶縁操作棒を操作してクランプ電流計を電力線に近づけつつ、他方の絶縁操作棒の先端に取り付けられたヘッドを用いてクランプセンサを開閉する間接活線作業が知られている（例えば特許文献１を参照）。
【先行技術文献】
【特許文献】
【０００３】
【特許文献１】特開２００５−３３７９６１号公報
【発明の概要】
【発明が解決しようとする課題】
【０００４】
しかし、上記の特許文献１の場合、２本の絶縁操作棒が必要になるため、クランプ電流計を電力線に取り付けるのに時間がかかり、クランプ電流計を電力線に効率よく取り付けることができない問題があった。
【０００５】
そこで、本発明は、クランプ電流計を電力線に効率よく取り付けることができる取付装置を提供することを目的とする。
【課題を解決するための手段】
【０００６】
前述した課題を解決する主たる本発明は、操作棒と、前記操作棒の先端に設けられる固定アームと、伝達棒と、前記伝達棒の先端に設けられ、前記固定アームとの間に物体を挟持することができるように、前記固定アームに軸支される回動アームと、前記回動アームが前記固定アームに近づくように、前記伝達棒を前記操作棒の長手方向に沿って前記固定アームから離れる方向に移動させるハンドルと、を有する絶縁ヤットコを用いて、クランプ電流計を電力線に取り付けるための取付装置であって、前記固定アームの先端に着脱自在に装着され、前記クランプ電流計のクランプを開く際に押下されるスイッチが前記回動アーム側を向くように、前記クランプ電流計が固定される収容部材と、前記回動アームの先端に着脱自在に装着される保持部材と、前記保持部材において、前記回動アームの先端から遠ざかる方向に弾性付勢される移動部材と、前記伝達棒の先端と前記移動部材とを連結する連結部材と、を備え、前記伝達棒が前記操作棒の長手方向に沿って前記固定アームから離れる方向に移動すると、前記回動アームが前記固定アームに近づくとともに、前記クランプが開くように前記移動部材が弾性力に抗して前記スイッチにおける前記回動アーム側の面を摺動しながら押下するものである。
【０００７】
本発明の他の特徴については、添付図面及び本明細書の記載により明らかとなる。
【発明の効果】
【０００８】
本発明によれば、クランプ電流計を電力線に効率よく取り付けることが可能になる。
【図面の簡単な説明】
【０００９】
【図１】本実施形態に係るクランプ電流計の取付装置が装着される絶縁ヤットコを示す平面図である。
【図２】本実施形態に係るクランプ電流計の取付装置が装着される絶縁ヤットコの他の様子を示す平面図である。
【図３】本実施形態に係る取付装置に収容されるクランプ電流計を示す平面図である。
【図４】本実施形態に係る取付装置に収容されるクランプ電流計の他の様子を示す平面図である。
【図５】本実施形態に係る取付装置の構成要素である収容部材の一例を示す平面図である。
【図６】本実施形態に係る取付装置の構成要素である保持部材、移動部材、連結部材の一例を示す斜視図である。
【図７】本実施形態に係る取付装置の動作を説明するための平面図である。
【図８】本実施形態に係る取付装置の他の動作を説明するための平面図である。
【図９】本実施形態に係る取付装置の他の動作を説明するための平面図である。
【発明を実施するための形態】
【００１０】
本明細書および添付図面の記載により、少なくとも以下の事項が明らかとなる。
【００１１】
＝＝＝絶縁ヤットコ＝＝＝
図１は、本実施形態に係るクランプ電流計の取付装置が装着される絶縁ヤットコの一例を示す平面図であって、１対のアームが開いた様子を示している。図２は、本実施形態に係るクランプ電流計の取付装置が装着される絶縁ヤットコの一例を示す平面図であって、１対のアームが閉じた様子を示している。
【００１２】
以下、図１及び図２を参照しつつ、絶縁ヤットコ１００の構成について説明する。
【００１３】
絶縁ヤットコ１００は、間接活線作業を行う際に作業者が操作する間接工具の一種である。
【００１４】
絶縁ヤットコ１００は、操作棒１０１、固定アーム１０２、伝達棒１０３、連結棒１０４、回動アーム１０５、ハンドル１０６を有している。
【００１５】
操作棒１０１は、作業者が間接活線作業を行う際に握って操作する棒である。操作棒１０１は、絶縁材料で形成されるか、或いは、絶縁シート等がその表面に被覆される。
【００１６】
固定アーム１０２は、回動アーム１０５との間に物体（不図示）を挟持することができるように湾曲形状を呈し、操作棒１０１の先端に取り付けられている。
【００１７】
伝達棒１０３は、回動アーム１０５が固定アーム１０２との間に物体を挟持することができるように、ハンドル１０６の操作力を回動アーム１０５に伝達する棒である。伝達棒１０３は、操作棒１０１と同様に、絶縁材料で形成されるか、或いは、絶縁シート等がその表面に被覆される。伝達棒１０３は、連結棒１０４を含んで構成されている。連結棒１０４は、伝達棒１０３と回動アーム１０５との間を連結する棒である。連結棒１０４は、伝達棒１０３の先端に設けられる凹部１０３Ａに挿入され、伝達棒１０３の側面を貫通して挿入される調整ネジ１０３Ｂによって、伝達棒１０３に取り付けられている。
【００１８】
回動アーム１０５は、固定アーム１０２との間に物体を挟持することができるように固定アーム１０２の湾曲形状とは対称な湾曲形状を呈し、固定アーム１０２の支軸１０２Ａに回動可能となるように軸支されている。回動アーム１０５は、支軸１０２Ａの一方側に延在する湾曲形状を呈するアーム部１０５Ａと、支軸１０２Ａの他方側に延在するアーム部１０５Ｂとを有している。アーム部１０５Ａは、固定アーム１０２と対をなして支軸１０２Ａを中心に回動する。アーム部１０５Ｂの先端は、連結棒１０４の先端の支軸１０４Ａに軸支されている。
【００１９】
ハンドル１０６は、作業者が握るレバー１０６Ａと、操作棒１０１と伝達棒１０３とを連結するリンク１０６Ｂとを有し、レバー１０６Ａとリンク１０６Ｂとが連続するＬ字形状を呈している。リンク１０６Ｂの一端は操作棒１０１の支軸１０１Ａに軸支され、リンク１０６Ｂの他端は伝達棒１０３の支軸１０３Ｃに軸支されている。
【００２０】
そして、作業者がレバー１０６Ａを握ると、レバー１０６Ａ及びリンク１０６Ｂが支軸１０１Ａを中心に時計方向に回動し、伝達棒１０３が操作棒１０１の長手方向に沿って固定アーム１０２から遠ざかる方向（白矢印方向）に移動し、回動アーム１０５は支軸１０２Ａを中心に時計方向に回動することとなる。
【００２１】
＝＝＝クランプ電流計＝＝＝
図３は、本実施形態に係る取付装置に収容されるクランプ電流計の一例を示す平面図であって、クランプセンサが閉じた様子を示している。図４は、本実施形態に係る取付装置に収容されるクランプ電流計の一例を示す平面図であって、クランプセンサが開いた様子を示している。
【００２２】
以下、図３及び図４を参照しつつ、クランプ電流計２００について説明する。
【００２３】
クランプ電流計２００は、高圧線等の電力線３００を流れる電流を活線状態で計測し、当該電流の計測値を表示するとともに記憶する機能を備えた機器である。
【００２４】
クランプ電流計２００は、クランプセンサ２０１、スイッチ２０２、ファンクションダイアル２０３、ディスプレイ２０４、マイコン２０５、メモリ２０６、本体２０７を有している。
【００２５】
クランプセンサ２０１は、固定クランプ２０１Ａと可動クランプ２０１Ｂからなる。固定クランプ２０１Ａは、電力線３００を取り囲むことができるように、電力線３００の周面に沿う湾曲形状を呈し、本体２０７の上面から露出するように取り付けられている。可動クランプ２０１Ｂは、固定クランプ２０１Ａとともに電力線３００を取り囲むことができるように、固定クランプ２０１Ａの湾曲形状とは逆向きの湾曲形状を呈し、本体２０７の上面から露出するように取り付けられている。
【００２６】
スイッチ２０２は、クランプセンサ２０１を開閉するための押下スイッチであって、本体２０７の側面から露出するように取り付けられている。スイッチ２０２の操作面２０２Ａは、クランプセンサ２０１から離れるにつれて本体２０７からも離れるように傾斜した面形状を呈している。そして、スイッチ２０２の操作面２０２Ａが押下されると、可動クランプ２０１Ｂが固定クランプ２０１Ａから離れる方向に移動し、固定クランプ２０１Ａと可動クランプ２０１Ｂと間の隙間から電力線３００を取り入れることが可能になる（図４）。一方、スイッチ２０２の操作面２０２Ａが押下されなくなると、可動クランプ２０１Ｂが固定クランプ２０１Ａに近づく方向に移動し、固定クランプ２０１Ａと可動クランプ２０１Ｂで電力線３００を取り囲むことが可能になる（図３）。
【００２７】
ファンクションダイアル２０３は、電力線３００を流れる電流を計測するための各種機能を設定するためのダイアルであって、本体２０７の側面に取り付けられている。
【００２８】
ディスプレイ２０４は、ファンクションダイアル２０３の設定情報、電力線３００を流れる電流の計測値等を表示する表示体であって、本体２０７の側面のうち、ファンクションダイアル２０３が取り付けられる側面と同一の側面に取り付けられている。
【００２９】
マイコン２０５は、プログラムを実行することによって、クランプ電流計２００のための各種機能（電流の計測・計測値の表示や記憶等の機能）を実現するコンピュータであって、本体２０７に内蔵されている。
【００３０】
メモリ２０６は、電流の計測結果を記憶するフラッシュＲＯＭ等の不揮発性メモリであって、本体２０７に内蔵されている。尚、メモリ２０６は、マイコン２０５に内蔵されていてもよい。
【００３１】
＝＝＝取付装置の構成＝＝＝
取付装置１０００は、収容部材４００、保持部材５００、移動部材６００、連結部材７００を含んで構成されている。
【００３２】
＜＜収容部材＞＞
図５は、本実施形態に係る取付装置の構成要素である収容部材の一例を示す平面図であって、クランプ電流計を収容した様子を示している。
【００３３】
以下、図５を参照しつつ、収容部材４００について説明する。
【００３４】
収容部材４００は、絶縁ヤットコ１００における固定アーム１０２の先端に着脱自在に装着され、クランプ電流計２００を電力線３００に取り付ける間接活線作業を行う際にクランプ電流計２００が収容される部材である。
【００３５】
収容部材４００は、収容箱４０１とアタッチメント４０２を有している。収容箱４０１は、クランプ電流計２００が収容される容器であって、クランプ電流計２００を挿入するための開口４０１Ａを備えた中空の直方体形状を呈している。収容箱４０１の側面には、ボルト４０３の雄螺子４０３Ａと螺合する雌螺子４０１Ｂが穿設されている。又、アタッチメント４０２は、固定アーム１０２の先端に着脱自在に装着される連結具であって、固定アーム１０２の先端を挿入するための開口４０２Ａを備えた中空の直方体形状を呈している。アタッチメント４０２の側面には、ボルト４０４の雄螺子４０４Ａと螺合する雌螺子４０２Ｂが穿設されている。収容箱４０１における開口４０１Ａとは反対側の側面と、アタッチメント４０２における開口４０２Ａとは反対側の側面とは、収容箱４０１の雌螺子４０１Ｂとアタッチメント４０２の雌螺子４０２Ｂとが同じ方向を向くように、互いに対向して結合されている。
【００３６】
収容部材４００を固定アーム１０２の先端に装着する場合、アタッチメント４０２の雌螺子４０２Ａが回動アーム１０５とは反対側を向くようにして、アタッチメント４０２の開口４０２Ａに固定アーム１０２の先端を挿入する。そして、ボルト４０４を締め付けてボルト４０４の先端を固定アーム１０２の先端に押し当てることによって、アタッチメント４０２は固定アーム１０２と一体化する。つまり、収容部材４００は固定アーム１０２の先端に装着される。
【００３７】
クランプ電流計２００を収容箱４０１に収容する場合、クランプ電流計２００におけるスイッチ２０２の操作面２０２Ａが回動アーム１０５の側を向くようにして、収容箱４０１の開口４０１Ａにクランプ電流計２００を挿入する。そして、ボルト４０３を締め付けてボルト４０３の先端を平板４０５を介してクランプ電流計２００における本体２０７の側面に押し当てることによって、クランプ電流計２００は収容箱４０１内に固定された状態で収容される。
【００３８】
＜＜保持部材、移動部材、連結部材＞＞
図６は、本実施形態に係る取付装置の構成要素である保持部材、移動部材、連結部材の一例を示す斜視図である。尚、説明の便宜上、図６には座標軸（Ｘ軸、Ｙ軸、Ｚ軸）を記すこととする。
【００３９】
以下、図６を参照しつつ、保持部材５００、移動部材６００、連結部材７００について説明する。
【００４０】
保持部材５００は、絶縁ヤットコ１００における回動アーム１０５の先端に着脱自在に装着され、クランプ電流計２００を電力線３００に取り付ける間接活線作業を行う際に、クランプ電流計２００におけるスイッチ２０２の操作面２０２Ａを押下するための部材である。
【００４１】
保持部材５００は、保持箱５０１とアタッチメント５０２を有している。保持箱５０１は、移動部材６００を弾性保持する容器であって、中空の直方体形状を呈している。保持箱５０１の側面（ＸＺ平面に沿う側面）には、移動部材６００が弾性力に従って又は弾性力に抗して移動するための長孔５０１Ａ（Ｚ軸に沿って延在する長孔）が穿設されている。又、アタッチメント５０２は、回動アーム１０５の先端に着脱自在に装着される連結具であって、回動アーム１０５の先端を挿入するための開口５０２Ａ（−Ｚ方向の開口）を備えた中空の直方体形状を呈している。アタッチメント５０２の側面（ＹＺ平面に沿う側面）には、ボルト５０３の雄螺子５０３Ａと螺合する雌螺子５０２Ｂが穿設されている。保持箱５０１における移動部材６００が弾性付勢されていない側の面（−Ｚ方向の面）と、アタッチメント５０２における開口５０２Ａとは反対側の面（＋Ｚ方向の面）とは、保持箱５０１の長孔５０１Ａが穿設される側面とアタッチメント５０２の雌螺子５０２Ｂが穿設される側面とが垂直となるように、互いに対向して結合されている。
【００４２】
移動部材６００は、クランプ電流計２００におけるスイッチ２０２の操作面２０２Ａを摺動しながら押下する部材である。移動部材６００の一部（破線）は、保持箱５０１の内部において、バネ６００Ａ，６００Ｂの弾性力によって回動アーム１０５の先端から遠ざかる方向（＋Ｚ方向）に弾性付勢されている。移動部材６００の他の一部（実線）は、クランプ電流計２００におけるスイッチ２０２の操作面２０２Ａを摺動しながら押下することができるように、長孔５０１Ａから突出している。移動部材６００は、Ｙ軸に沿って延在する長尺の円柱形状を呈する部材であることとする。
【００４３】
連結部材７００は、移動部材６００がバネ６００Ａ，６００Ｂの弾性力に抗して長孔５０１Ａを移動することができるように、伝達棒１０３の先端と移動部材６００の突出している先端とを連結する部材である。連結部材７００は、両端に連結リング７００Ａ，７００Ｂを有している。連結リング７００Ａは移動部材の突出している先端に挿入されて固定され、連結リング７００Ｂは調整ネジ１０３Ｂの頭部に挿入されて固定されている。尚、連結部材７００は、例えば、両端に連結リング７００Ａ，７００Ｂを有するように樹脂材料から形成される紐であることとする。
【００４４】
保持部材５００を回動アーム１０５の先端に装着する場合、アタッチメント５０２の雌螺子５０２Ｂが固定アーム１０２とは反対側（−Ｘ方向）を向くようにして、アタッチメント５０２の開口５０２Ａに回動アーム１０５の先端を挿入する。そして、ボルト５０３を締め付けてボルト５０３の先端を回動アーム１０５の先端に押し当てることによって、アタッチメント５０２は回動アーム１０５と一体化する。つまり、保持部材５００は回動アーム１０５の先端に装着される。更に、このとき、伝達棒１０３と移動部材６００との間は連結部材７００によって連結されている。
【００４５】
＝＝＝取付装置の動作＝＝＝
図７〜図９は、本実施形態に係る取付装置の動作を説明するための平面図である。
【００４６】
以下、図７〜図９を参照しつつ、取付装置１０００の動作について説明する。尚、説明の便宜上、収容部材４００は、電力線３００を流れる電流を計測可能な状態に設定されているクランプ電流計２００を収容するとともに固定アーム１０２の先端に装着され、保持部材５００は、回動アーム１０５の先端に装着され、連結部材７００は、伝達棒１０３に取り付けられている調整ネジ１０３Ｂの頭部と移動部材６００の突出している先端との間に取り付けられていることとする（図７）。
【００４７】
先ず、作業者が絶縁ヤットコ１００を手に取って、クランプ電流計２００を電力線３００に近づける。そして、作業者がハンドル１０６を握ると、伝達棒１０３が操作棒１０１の長手方向に沿って固定アーム１０２から遠ざかる方向（図２の白矢印方向）に移動するため、回動アーム１０５は支軸１０２Ａを中心に時計方向に回動して固定アーム１０２に近づく。このとき、連結部材７００が伝達棒１０３に引っ張られるため、移動部材７００は、バネ６００Ａ，６００Ｂの弾性力に抗して長孔５０１Ａを移動しながら回動アーム１０５の先端に近づく。このようにして、移動部材６００の突出している先端は、クランプ電流計２００におけるスイッチ２０２の操作面２０２Ａと対向する（図８）。
【００４８】
次に、回動アーム１０５が支軸１０２Ａを中心に時計方向への回動を続けて固定アーム１０２に更に近づくと、移動部材６００も回動アーム１０５の先端に更に近づくため、異動部材６００は、回動アーム１０５の先端に近づく過程で、スイッチ２０２の操作面２０２Ａを摺動しながら押下する。この結果、可動クランプ２０１Ｂが固定クランプ２０１Ａから離れる方向に移動し、固定クランプ２０１Ａと可動クランプ２０１Ｂと間の隙間から電力線３００を取り入れることが可能になる（図９）。
【００４９】
次に、作業者がハンドル１０６から手を離すと、伝達棒１０３が操作棒１０１の長手方向に沿って固定アーム１０２に近づく方向（図２の黒矢印方向）に移動するため、回動アーム１０５は支軸１０２Ａを中心に反時計方向に回動して固定アーム１０２から遠ざかる。このとき、連結部材７００が伝達棒１０３に引っ張られなくなるため、移動部材７００は、バネ６００Ａ，６００Ｂの弾性力に従って長孔５０１Ａを移動しながら回動アーム１０５の先端から遠ざかる。この結果、可動クランプ２０１Ｂが固定クランプ２０１Ａに近づく方向に移動し、固定クランプ２０１Ａと可動クランプ２０１Ｂで電力線３００を取り囲んで、電力線３００を流れる電流を計測することが可能になる（図７）。
【００５０】
次に、電力線３００を流れる電流の計測が完了した後、作業者がハンドル１０６を再び握ると、可動クランプ２０１Ｂが固定クランプ２０１Ａから離れる方向に移動し、電力線３００からクランプ電流計２００を取り外すことが可能になる。
【００５１】
＝＝＝まとめ＝＝＝
以上説明したように、本実施形態に係る取付装置１０００は、操作棒１０１と、操作棒１０１の先端に設けられる固定アーム１０２と、伝達棒１０３と、伝達棒１０３の先端に設けられ、固定アーム１０２との間に物体（不図示）を挟持することができるように、固定アーム１０２に軸支される回動アーム１０５と、回動アーム１０５が固定アーム１０２に近づくように、伝達棒１０３を操作棒１０１の長手方向に沿って固定アーム１０２から離れる方向に移動させるハンドル１０６と、を有する絶縁ヤットコ１００を用いて、クランプ電流計２００を電力線３００に取り付けるための装置であって、固定アーム１０２の先端に着脱自在に装着され、クランプ電流計２００のクランプセンサ２０１を開く際に押下されるスイッチ２０２が回動アーム１０２側を向くように、クランプ電流計２００が固定される収容部材４００と、回動アーム１０２の先端に着脱自在に装着される保持部材５００と、保持部材５００において、回動アーム１０２の先端から遠ざかる方向に弾性付勢される移動部材６００と、伝達棒１０３の先端と移動部材６００とを連結する連結部材７００と、を備え、伝達棒１０３が操作棒１０１の長手方向に沿って固定アーム１０２から離れる方向に移動すると、回動アーム１０５は固定アーム１０２に近づき、クランプセンサ２０１が開くように、移動部材６００は弾性力に抗してスイッチ２０２における回動アーム１０２側の操作面２０２Ａを摺動しながら押下する。そして、本実施形態に係る取付装置１０００を採用することによって、作業者が絶縁ヤットコ１００のハンドルを操作するだけで、クランプ電流計２００を電力線３００に効率よく取り付けることが可能になる。
【００５２】
又、本実施形態に係る取付装置１０００において、スイッチ２０２における回動アーム１０５側の操作面２０２Ａは、固定アーム１０２の先端に近づくにつれて回動アーム１０５側に近づく所謂傾斜面となっている。そ  又、本実施形態に係る取付装置１０００において、移動部材６００の一部は、保持部材５００の内部において、回動アーム１０５の先端から遠ざかる方向に弾性付勢され、移動部材６００の他の一部は、スイッチ２０２における回動アーム１０５側の操作面２０２Ａを摺動しながら押下するために、保持部材５００の外部に突出している。又、本実施形態に係る取付装置１０００において、移動部材６００は、長尺の円柱形状を呈している。そして、本実施形態に係る取付装置１０００を採用することによって、移動部材６００がスイッチ２０２を確実に押下することが可能になる。
【００５３】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５４】
１００  絶縁ヤットコ
１０１  操作棒
１０２  固定アーム
１０３  伝達棒
１０５  回動アーム
１０６  ハンドル
２００  クランプ電流計
２０１  クランプセンサ
２０２  スイッチ
２０２Ａ  操作面
３００  電力線
４００  収容部材
５００  保持部材
６００  移動部材
６００Ａ，６００Ｂ  バネ
７００  連結部材
【図１】
2018136130.tif 000003
【図２】
2018136130.tif 000004
【図３】
2018136130.tif 000005
【図４】
2018136130.tif 000006
【図５】
2018136130.tif 000007
【図６】
2018136130.tif 000008
【図７】
2018136130.tif 000009
【図８】
2018136130.tif 000010
【図９】
2018136130.tif 000011